(57)【要約】【課題】  見車体開口部と該車体開口部を閉止している蓋体との隙間を小さくすることができる車体開口部の開閉構造を得る。【解決手段】  車体開口部の開閉構造では、エンジンルームの開口部１２を閉止する際にエンジンフード１８を矢印Ｂ方向に回動し、該エンジンフード１８が閉止位置を超えて矢印Ｂ側に移動すると、バンパ押圧部材３６がフロントバンパ１６の傾斜当接部３４を押圧することで、フロントバンパ１６が第１位置から前方（矢印ＦＲ方向）の第２位置に移動する。エンジンフード１８の回動力が消費されるとエンジンフード１８が閉止位置に復帰すると、板ばね３０の付勢力でバンパカバー１６が第１位置に復帰する。【選択図】      図１
2006111165.tif 000002
【特許請求の範囲】
【請求項１】
車体開口部に対し開口面に交差する方向に接離することで、前記開口部を開放する開放位置と、外縁を前記開口部の開口縁の内側に位置させて該開口部を閉止する閉止位置とを取り得る蓋体と、
前記車体に設けられて前記開口部の開口縁の一部を構成し、該開口縁の一部を所定位置に位置させる第１位置と、該第１位置よりも前記開口部を広げる第２位置とを取り得る車体側部材と、
前記蓋体が前記閉止位置を超えて前記開放位置とは反対側に移動する場合に、前記車体側部材を前記第１位置から前記第２位置側に移動させる干渉防止手段と、
前記蓋体が前記閉止位置に対する前記開放位置とは反対側の位置から前記閉止位置に戻る際に、前記第２位置側に移動した前記車体側部材を前記第１位置に戻す復元手段と、
を備えた車体開口部の開閉構造。
【請求項２】
前記干渉防止手段は、前記蓋体又は前記車体側部材に設けられ、前記閉止位置を超えて前記開放位置とは反対側に移動する前記蓋体の移動力を、前記車体側部材が前記第２位置側に移動する移動力に変換する力変換機構である請求項１記載の車体開口部の開閉構造。
【請求項３】
前記力変換機構は、前記閉止位置を超えて前記開放位置とは反対側に移動する際の前記蓋体の移動軌跡に交差する方向に沿って前記車体側部材に設けられ、前記閉止位置を超えて前記開放位置とは反対側に移動する前記蓋体に接触しつつ該蓋体の移動力を前記車体側部材の移動力に変換する傾斜当接部を含んで構成される請求項２記載の車体開口部の開閉構造。
【請求項４】
フロントバンパが前縁を形成する車体開口部を後ヒンジのフード部材が開閉する車体開口部の開閉構造であって、
前記フロントバンパは、前記フード部材が前記開口部を閉止する閉止位置を超えて開放側とは反対側に回動する際に所定位置から前方へ移動し、前記フード部材が前記開口部の閉止位置に復帰すると前記所定位置に復帰する車体開口部の開閉構造。
【請求項５】
前記フロントバンパは、前記フード部材が前記閉止位置を超えて開放側とは反対に回動する際に、該フード部材に押圧されて前記所定位置から前方へ移動する請求項４記載の車体開口部の開閉構造。
【発明の詳細な説明】
【技術分野】
【０００１】
本発明は、例えばエンジンフードにて開閉されるエンジンルーム等、蓋体による車体開口部の閉止状態で見切り部が形成される車体開口部の開閉構造に関する。
【背景技術】
【０００２】
自動車等の車両における車体開口部であるエンジンルームは、後ヒンジのエンジンフードがヒンジ軸廻りに回動することで開閉される。エンジンルームを閉止しているエンジンフードは、平面視でエンジンルームの開口縁の内側に入り込んでおり、エンジンルームを形成する左右のフロントフェンダ、フロントバンパとの間に見切り部を形成している。この見切り部を適性に保つように、エンジンルーム内に設けられたラジエータコアにバンパラバーを固定する構造が知られている（例えば、特許文献１参照）。
【特許文献１】特開平９−１５０７５５号公報
【発明の開示】
【発明が解決しようとする課題】
【０００３】
ところで、エンジンルームを開閉するために車体に対し可動であるエンジンフードは、１部材でエンジンルームを閉止する大型部材であるため、該エンジンフードの寸法のばらつき及び強閉時の動きを吸収するために、上記見切り部、特にヒンジ軸から最も遠い（寸法誤差の影響が大きく、回動による移動距離が大きくなる）エンジンフード前縁とフロントバンパとの見切り部を比較的大きく設定する必要があった。一方で、意匠上の要求等から、上記のような見切り部の隙を小さくすることが望まれている。
【０００４】
しかしながら、上記のような従来の技術では、単にバンパラバーにてエンジンフードを上下方向の閉止位置に位置決めする構造であるため、エンジンフードとフロントバンパとの見切りの隙を小さくすることが困難であった。
【０００５】
本発明は、上記事実を考慮して、車体開口部と該車体開口部を閉止している蓋体との隙間を小さくすることができる車体開口部の開閉構造を得ることが目的である。
【課題を解決するための手段】
【０００６】
上記目的を達成するために請求項１記載の発明に係る車体開口部の開閉構造は、車体開口部に対し開口面に交差する方向に接離することで、前記開口部を開放する開放位置と、外縁を前記開口部の開口縁の内側に位置させて該開口部を閉止する閉止位置とを取り得る蓋体と、前記車体に設けられて前記開口部の開口縁の一部を構成し、該開口縁の一部を所定位置に位置させる第１位置と、該第１位置よりも前記開口部を広げる第２位置とを取り得る車体側部材と、前記蓋体が前記閉止位置を超えて前記開放位置とは反対側に移動する場合に、前記車体側部材を前記第１位置から前記第２位置側に移動させる干渉防止手段と、前記蓋体が前記閉止位置に対する前記開放位置とは反対側の位置から前記閉止位置に戻る際に、前記第２位置側に移動した前記車体側部材を前記第１位置に戻す復元手段と、を備えている。
【０００７】
請求項１記載の車体開口部の開閉構造では、蓋体が車体開口部の開口面に対し交差する方向に接離（例えば、所定の開動軸周りの回動）することで、該蓋体が車体開口部を開閉する。閉止位置に位置する蓋体は、その外縁を開口部の内縁の内側に位置させており（開口面に略垂直な方向から見て蓋体に外縁が開口部の内縁の内側に入り込んでいれば足り、蓋体が全体として開口部の内縁を規定する壁部等の内側に入り込まなくても良い）、車体の開口縁と蓋体との間には所謂見切り部としての隙間が形成される。
【０００８】
ここで、蓋体が閉止位置を超えて開放位置とは反対側に移動すると、干渉防止手段は、車体側部材を第１位置から第２位置へ移動する。これにより、車体側部材が形成する開口縁の一部は、所定位置に位置する状態よりも蓋体の対応する外縁から遠ざかる。第２位置側に移動した車体側部材は、蓋体が閉止位置に戻る際に、復元手段によって第１位置に戻る。このため、本車体開口部の開閉構造では、例えば蓋体を強閉する場合などに該蓋体と車体側部材との干渉が該車体側部材を第２位置側に移動することにより防止されるので、蓋体が閉止位置で静止している状態での第１位置に位置する車体側部材と蓋体外縁との隙間（見切り隙間）を小さく設定することが可能である。
【０００９】
このように、請求項１記載の車体開口部の開閉構造では、車体開口部と該車体開口部を閉止している蓋体との隙間を小さくすることができる。
【００１０】
請求項２記載の発明に係る車体開口部の開閉構造は、請求項１記載の車体開口部の開閉構造において、前記干渉防止手段は、前記蓋体又は前記車体側部材に設けられ、前記閉止位置を超えて前記開放位置とは反対側に移動する前記蓋体の移動力を、前記車体側部材が前記第２位置側に移動する移動力に変換する力変換機構である。
【００１１】
請求項２記載の車体開口部の開閉構造では、蓋体が開放位置側から閉止位置を超えて該開放位置とは反対側に移動する際には、該蓋体の移動力が力変換機構によって車体側部材の第２位置側への移動力に変換される。これにより、蓋体の移動力を利用して車体側部材を第２位置へ移動して該蓋体と車体側部材との干渉を防止することができる。
【００１２】
請求項３記載の発明に係る車体開口部の開閉構造は、請求項２記載の車体開口部の開閉構造において、前記力変換機構は、前記閉止位置を超えて前記開放位置とは反対側に移動する際の前記蓋体の移動軌跡に交差する方向に沿って前記車体側部材に設けられ、前記閉止位置を超えて前記開放位置とは反対側に移動する前記蓋体に接触しつつ該蓋体の移動力を前記車体側部材の移動力に変換する傾斜当接部を含んで構成される。
【００１３】
請求項３記載の車体開口部の開閉構造では、蓋体が開放位置側から閉止位置を超えて該開放位置とは反対側に移動すると、該蓋体が車体側部材の傾斜当接部に接触する。蓋体の閉止位置を超える開放位置と反対側の回動軌跡に交差する向きの傾斜当接部は、蓋体との接触を維持しつつ該蓋体の移動力を車体側部材の移動力に変換する。
【００１４】
請求項４記載の発明に係る車体開口部の開閉構造は、フロントバンパが前縁を形成する車体開口部を後ヒンジのフード部材が開閉する車体開口部の開閉構造であって、前記フロントバンパは、前記フード部材が前記開口部を閉止する閉止位置を超えて開放側とは反対側に回動する際に所定位置から前方へ移動し、前記フード部材が前記開口部の閉止位置に復帰すると前記所定位置に復帰する。
【００１５】
請求項４記載の車体開口部の開閉構造では、後ヒンジで回動するフード部材が車体開口部を開閉する。開口部を閉止する位置に位置するフード部材は、その前縁とフロントバンパ（開口部の前縁）との間に所謂見切り部としての隙間を形成している。
【００１６】
ここで、フード部材が開放位置側から閉止位置を超えて回動すると、フロントバンパは所定位置から前方に向けて移動する。このため、フロントバンパが形成する開口部の前縁は、所定位置に位置する状態よりもフード部材の前縁から遠ざかる。所定位置の前方に移動した車体側部材は、フード部材が閉止位置に復帰すると、所定位置に戻る。これにより、本車体開口部の開閉構造では、例えばフード部材を強閉する場合などに該フード部材と所定位置の前方に移動する車体側部材との干渉が防止されるため、フード部材が閉止位置で静止している状態で所定位置するフロントバンパとフード部材前縁との隙間（見切り隙間）を小さく設定することが可能である。
【００１７】
このように、請求項４記載の車体開口部の開閉構造では、車体開口部と該車体開口部を閉止しているフード部材との隙間を小さくすることができる。
【００１８】
請求項５記載の発明に係る車体開口部の開閉構造は、請求項４記載の車体開口部の開閉構造において、前記フロントバンパは、前記フード部材が前記閉止位置を超えて開放側とは反対に回動する際に、該フード部材に押圧されて前記所定位置から前方へ移動する。
【００１９】
請求項５記載の車体開口部の開閉構造では、フロントバンパは、開口部を開放する位置側から閉止位置を超えて回動するフード部材に押圧されることで、所定位置から前方へと移動する。これにより、フード部材の回動力を利用して車体側部材を所定位置の前方へ移動して該フード部材と車体側部材との干渉を防止することができる。
【発明の効果】
【００２０】
以上説明したように本発明に係る車体開口部の開閉構造は、車体開口部と該車体開口部を閉止している蓋体との隙間を小さくすることができるという優れた効果を有する。
【発明を実施するための最良の形態】
【００２１】
本発明の第１の実施形態に係る車体開口部の開閉構造１０について、図１乃至図５に基づいて説明する。なお、説明の便宜上、各図に矢印ＦＲにて示す方向を前方向、矢印ＵＰにて示す方向を上方向ということとする。
【００２２】
図１には、車体開口部の開閉構造１０が側断面図にて示されている。この図に示される如く、車体開口部の開閉構造１０が適用された自動車車体Ｓには、開口部１２が形成されている。開口部１２は、その前縁１２Ａがフロントバンパ１４を構成する樹脂製のバンパカバー１６にて規定（形成）されている。また、開口部１２は、左右の縁部が図示しない左右のフロントフェンダにて規定されると共に、後縁が図示しないカウル（フロントウインドシールドガラスの下端）にて規定されている。したがって、この実施形態における開口部１２は、平面視で略矩形状を成すエンジンルームとされている。
【００２３】
開口部１２は、蓋体又はフード部材としてのエンジンフード１８にて開放可能に閉止されている。エンジンフード１８は、１枚でエンジンルームである開口部１２を閉止可能な略矩形板状に形成されており、後端部に設けられたフードヒンジを介してヒンジ軸（何れも図示省略）廻りに回動可能に自動車車体Ｓに取り付けられている。このエンジンフード１８は、上記ヒンジ軸廻りに回動することで開口部１２を開放する開放位置（図示省略）と、開口部１２を閉止する閉止位置（図１参照）とを取り得る構成とされている。すなわち、エンジンフード１８は、図１に示す矢印Ａ方向に回動することで閉止位置から開放位置側に移動し、図１に示す矢印Ａとは反対向きの矢印Ｂ方向に回動することで開放位置側から閉止位置側に移動する構成とされている。この矢印Ａ、Ｅから分かるように、後端がフードヒンジにて支持された大型部材であるエンジンフード１８は、その前端１８Ａの回動軌跡が略上下方向に沿う構成とされている。また、閉止位置に位置するエンジンフード１８の前端１８Ａは、開口部１２の前縁１２Ａと上下方向の位置がほぼ一致している。
【００２４】
閉止位置に位置するエンジンフード１８は、開口部１２の前縁１２Ａすなわちバンパカバー１６との間に見切り部Ｍを形成している。具体的には、閉止位置に位置するエンジンフード１８は、平面視で開口部１２の上端における内縁の内側に入り込んで、その外面（意匠面）がバンパカバー１６、フェンダの各意匠面と段差のない連続的な曲面を形成するようになっている。したがって、見切り部Ｍは、開口部１２の前縁１２Ａとエンジンフード１８の前端１８Ａとの略前後方向に沿う隙間として形成されている。
【００２５】
フロントバンパ１４を構成するバンパカバー１６は、車体に対し前後方向に沿う移動可能に取り付けられている。バンパカバー１６は、図５に示される如く、左右両端にヘッドランプ露出用の切欠部２２が設けられており、該切欠部２２よりも上側部分がエンジンルームである開口部１２内に位置する上部１６Ａとされている。図１乃至図４には、バンパカバー１６の主に上部１６Ａが図示されており、上部１６Ａの前縁部が開口部１２の前縁１２Ａを構成するようになっている。
【００２６】
バンパカバー１６の上部１６Ａの左右両端には、それぞれ前後方向に長手とされた長孔２４が設けられている。そして、バンパカバー１６は、各長孔２４を貫通して図示しない車体構造部材に埋め込まれたボルト２８によって、車体に対し前後方向にスライド可能に取り付けられている。これにより、バンパカバー１６は、図１に示す如くボルト２８を長孔２４の前縁に係合させて車体Ｓに対し最も後側に位置する第１位置（所定位置）と、図３に示される如くボルト２８を長孔２４の後縁に係合させて車体Ｓに対し最も前側に位置する第２位置とを取り得る構成とされている。
【００２７】
また、車体開口部の開閉構造１０は、バンパカバー１６を第１位置側に付勢する付勢部材である板ばね３０を備えている。板ばね３０は、一端が車体構造部材であるラジエータサポート３２に固定されると共に他端がバンパカバー１６に係止されている。この板ばね３０の付勢力によって、通常はバンパカバー１６が第１位置に位置するようになっている。そして、バンパカバー１６は、エンジンフード１８が閉止位置を超えてさらに矢印Ｂへ回動する際に、車体Ｓに対し前方（矢印ＦＲ方向）にスライドする構成とされている。
【００２８】
具体的には、バンパカバー１６の上部１６Ａ、すなわちバンパカバー１６における開口部１２内に位置し意匠部分を構成しない部位には、上記したエンジンフード１８の前端１８Ａの回動軌跡（矢印Ａ、Ｅ参照）に交差する方向に沿って傾斜した傾斜当接部３４が設けられている。この傾斜当接部３４は、後方及び上方を共に向く傾斜面とされており、上側からの押圧力をバンパカバー１６の前方への移動力に変換する構成である。一方、エンジンフード１８の前端１８Ａの近傍の下面には、バンパ押圧部材３６が取り付けられている。バンパ押圧部材３６は、例えばゴム等の攻撃性の少ない材料にて略ブロック状に形成されており、エンジンフード１８が閉止位置に位置する状態で傾斜当接部３４に接触するか又は極近接して位置するようになっている。
【００２９】
したがって、バンパ押圧部材３６は、エンジンフード１８が閉止位置を超えて矢印Ｂ方向（略下向き）に回動すると、傾斜当接部３４を略下向き押圧するようになっている。このため、車体開口部の開閉構造１０では、バンパ押圧部材３６からの押圧力すなわちエンジンフード１８の矢印Ｂ方向への回動力が、傾斜当接部３４によってバンパカバー１６の前方への移動力に変換され、この移動力によってバンパカバー１６が板ばね３０の付勢力に抗して前方の第２位置側に移動するようになっている。この移動力が板ばね３０の付勢力を下回ると、該板ばね３０の付勢力によってバンパカバー１６が第１位置へ復帰する構成である。この板ばね３０の付勢力を、閉止位置を超えて矢印Ｂ方向に回動したエンジンフード１８を閉止位置に戻す復元力として用いる構成としても良く、エンジンフード１８が図示しないバンパラバー等の別部材に当接することで閉止位置に復元する構成としても良い。
【００３０】
また、傾斜当接部３４におけるバンパ押圧部材３６が接触する表面３４Ａには、エンジンフード１８を開放位置から閉止位置へ移動する際の、バンパ押圧部材３６の衝突による傷付きを防止するための傷付き防止処理が施されている。傷付き防止処理としては、例えば、耐チックテープ等の保護テープを貼着する構造が採用される。以上説明した傾斜当接部３４、バンパ押圧部材３６が本発明における力変換機構に相当すると共に本発明における干渉防止手段を構成し、板ばね３０が復元手段に相当する。また、バンパカバー１６における上部１６Ａ（傾斜当接部３４等）を除く部分が車体側部材に相当する。
【００３１】
なお、図２は車体Ｓの左右方向中央部（図５に示す２−２線参照）においてエンジンフード１８が閉止位置に位置する状態の側断面図であり、開口部１２の前縁１２Ａ、エンジンフード１８の前端１８Ａが共に、図１に示す左右方向端部近傍よりも前側に位置する構成とされている。また、図２に示される如く、バンパカバー１６における左右方向中央部にも傾斜当接部３４が設けられると共に、エンジンフード１８における左右方向中央部にもバンパ押圧部材３６が設けられている。
【００３２】
次に、第１の実施形態の作用を説明する。
【００３３】
上記構成の車体開口部の開閉構造１０では、通常はエンジンフード１８が閉止位置に位置して開口部１２を閉止している。この状態では、エンジンフード１８の前端１８Ａと開口部１２の前縁１２Ａとの間に見切り部Ｍが形成されている。エンジンフード１８を矢印Ａ方向に回動して開放位置へ移動し開口部１２を開放した後には、エンジンフード１８を矢印Ｂ方向に回動して閉止位置へ復帰する。
【００３４】
このとき、エンジンフード１８を強く矢印Ｂ方向に回動する（強閉する）と、図３及び図４に示される如く、エンジンフード１８は、閉止位置を超えてさらに矢印Ｂ方向に回動する。すると、エンジンフード１８に設けたバンパ押圧部材３６がバンパカバー１６の傾斜当接部３４を略下向きに押圧する。略下向き押圧された傾斜当接部３４は、エンジンフード１８の矢印Ｂ方向への回動力（の一部）をバンパカバー１６の前方（第２位置側）への移動力に変換する。この移動力によって、バンパカバー１６は、図３及び図４に想像線にて示す第１位置から実線にて示す第２位置側（この例では第２位置）に移動する。
【００３５】
この前方への移動によって、バンパカバー１６は、図３及び図４に示される如く、閉止位置を超えて略下向きに移動したエンジンフード１８の前端１８Ａとの干渉（接触）が回避される。エンジンフード１８の矢印Ｂ方向への回動力が変換されたバンパカバー１６の前方への移動力が板ばね３０の付勢力を下回ると、バンパカバー１６は、板ばね３０の付勢力によって第１位置に復帰する。また、このときエンジンフード１８は、閉止位置に復帰しながら、図示しないラッチが係合してロック状態になる。
【００３６】
ここで、エンジンフード１８が閉止位置を超えて矢印Ｂ方向に回動すると、バンパカバー１６が前方に移動して該エンジンフード１８との干渉を回避するため、すなわち、閉止動作中のエンジンフード１８の前端１８Ａと開口部１２の前縁１２Ａとの干渉が回避されるため、エンジンフード１８が閉止位置に静止すると共にバンパカバー１６が第１位置に位置する状態での見切り部Ｍの隙間を小さく設定することができる。すなわち、見切り部Ｍの隙間は、大型部品であるエンジンフードの寸法や形状のばらつきを吸収し、かつエンジンフード１８強閉時の閉止位置を超える動きを吸収するために、大きく設定する必要があったが、本実施形態ではエンジンフード強閉時の動きがバンパカバー１６を第２位置側に移動することで吸収されるため、見切り部Ｍの隙間を小さくする構成が実現された。
【００３７】
このように、第１の実施形態に係る車体開口部の開閉構造１０では、車体Ｓの開口部１２と該開口部１２を閉止しているエンジンフード１８との見切り部Ｍの隙間を小さくすることができる。特に、閉止位置においてエンジンフード１８の前端１８Ａが開口部１２の前縁１２Ａの後方に入り込まない構成（本実施形態では略同高位）で、見切り部Ｍの隙間を小さく設定することができる。
【００３８】
また、車体開口部の開閉構造１０では、エンジンフード１８の回動力がバンパカバー１６の移動力に変換されることで、強閉されたエンジンフード１８とバンパカバー１６との干渉が回避されるため、バンパカバー１６の動作はエンジンフード１８の動作に確実に連動する。このため、エンジンフード１８とバンパカバー１６との干渉が確実に回避される。さらに、バンパカバー１６を第２位置に移動する駆動源やエンジンフード１８の閉止位置を超える回動を検出するセンサ類が不要であり、構成がシンプルである。特に、単にバンパカバー１６の上部１６Ａ（意匠部分ではない部位）に傾斜当接部３４を設けると共に、エンジンフード１８に傾斜当接部３４を押圧するバンパ押圧部材３６を設ける簡単な構造で、上記の通りエンジンフード１８の回動力をバンパカバー１６の移動力に変換する機能が実現されている。
【００３９】
次に、本発明の第２の実施形態に係る車体開口部の開閉構造５０について図６に基づいて説明する。なお、上記第１の実施形態と基本的に同一の部品・部分については、上記第１の実施形態と同一の符号を付して説明を省略する。
【００４０】
図６に示される如く、車体開口部の開閉構造５０は、バンパカバー１６に代えてバンパカバー５２を備える点で、第１の実施形態に係る車体開口部の開閉構造１０とは異なる。バンパカバー５２は、バンパカバー１６と同様に開口部１２の前縁１２Ａを形成するが、その上部１６Ａに対応する上部５２Ａに長孔２４ではなく円形状の透孔５４が設けられており、該透孔５４を貫通して図示しない車体構造部材に固定されている。したがって、車体開口部の開閉構造５０には、バンパカバー５２を後向きに付勢する板ばね３０は設けられていない。
【００４１】
また、バンパカバー５２には、傾斜当接部３４に代えて揺動変形部５６が設けられている。揺動変形部５６は、傾斜当接部３４と同様に上側の面が上方及び後方を共にに向くように、バンパ押圧部材３６による押圧方向（矢印Ｂ方向）に対し傾斜しており、その上下端は、それぞれ揺動変形部５６と共に上部５２Ａを構成する上前側水平部５２Ｂ、下後側水平部５２Ｃに連続している。そして、揺動変形部５６は、下後側水平部５２Ｃとの協会部近傍廻りに矢印Ｃ方向へ遥動するような弾性変形が可能とされている。この揺動変形部５６の矢印Ｃ方向への変形によって、バンパカバー５２は、開口部１２の前縁１２Ａを図６に示す第１位置から図７に示す第２位置側へと移動する構成とされている。
【００４２】
すなわち、バンパカバー５２は、揺動変形部５６がエンジンフード１８のバンパ押圧部材３６によって略下方（矢印Ｂ方向）に押圧されると矢印Ｃ方向に変形し、その前部である前縁１２Ａを前方に移動させる構成である。また、バンパカバー５２は、バンパ押圧部材３６からの矢印Ｃへの押圧力が自らの復元力を下回ると、該復元力によって第１位置に復帰するようになっている。エンジンフード１８は、この復元力にて閉止位置に復帰しても良く、バンパラバー等の別部材に当接することで閉止位置に復元する構成であっても良い。以上説明した車体開口部の開閉構造５０では、揺動変形部５６、バンパ押圧部材３６が力変換機構に相当し、また干渉防止手段を構成し、かつ揺動変形部５６が復元手段を兼ねる構成である。さらに、バンパカバー５２における上部５２Ａ（揺動変形部５６等）を除く部分が車体側部材に相当する。
【００４３】
この第２の実施形態に係る車体開口部の開閉構造５０によっても、エンジンフード１８の強閉時に該エンジンフード１８が閉止位置を超えて矢印Ｂ方向に回動すると、バンパ押圧部材３６に押圧された揺動変形部５６が矢印Ｃ方向に変形することで開口部１２の前縁１２Ａが前方に移動し、エンジンフード１８とバンパカバー５２との干渉が回避される。したがって、車体開口部の開閉構造５０によっても、第１の実施形態に係る車体開口部の開閉構造１０と動揺の効果を得ることができる。
【００４４】
なお、上記各実施形態では、開口部１２がエンジンフード１８によって開閉されるエンジンルームである例を示したが、本発明はこれに限定されず、例えば、開口部１２が上ヒンジのリアドアによって開閉されるハッチバックゲート等であっても良い。また、本発明は、上記各実施形態に示す例には限定されず、各種変更して実施可能であることは言うまでもない。
【図面の簡単な説明】
【００４５】
【図１】本発明の第１の実施形態に係る車体開口部の開閉構造を示す側断面図である。
【図２】本発明の第１の実施形態に係る車体開口部の開閉構造を示す図１とは異なる位置の側断面図である。
【図３】本発明の第１の実施形態に係る車体開口部の開閉構造を構成するバンパカバーにおける図１に対応する位置の移動状態を示す側断面図である。
【図４】本発明の第１の実施形態に係る車体開口部の開閉構造を構成するバンパカバーにおける図２に対応する位置の移動状態を示す側断面図である。
【図５】本発明の第１の実施形態に係る車体開口部の開閉構造を構成するバンパカバーの斜視図である。
【図６】本発明の第２の実施形態に係る車体開口部の開閉構造を示す側断面図である。
【図７】本発明の第２の実施形態に係る車体開口部の開閉構造を構成するバンパカバーにおける図６に対応する位置の移動状態を示す側断面図である。
【符号の説明】
【００４６】
１０    車体開口部の開閉構造
１２    開口部（車体開口部）
１４    フロントバンパ（車体側部材）
１６    バンパカバー（車体側部材）
１８    エンジンフード（蓋体、フード部材）
３０    板ばね（復元手段）
３４    傾斜当接部（干渉防止手段、力変換機構）
３６    バンパ押圧部材（干渉防止手段、力変換機構）
５０    車体開口部の開閉構造
５２    バンパカバー（車体側部材）
５６    揺動変形部（干渉防止手段、力変換機構、復元手段）
【図１】
2006111165.tif 000003
【図２】
2006111165.tif 000004
【図３】
2006111165.tif 000005
【図４】
2006111165.tif 000006
【図５】
2006111165.tif 000007
【図６】
2006111165.tif 000008
【図７】
2006111165.tif 000009